(57)【要約】【課題】電界変動に伴って発生する出力信号レベルの低下を抑制して、出力音声の異常発生を防止することができるアンテナアンプを提供する。【解決手段】アンテナ２により受信された高周波信号を増幅するアンプ回路４０と、前記高周波信号を前記アンプ回路４０を通さずにバイパスするバイパス回路４１と、前記アンプ回路４０及び前記バイパス回路４１の後段に設けられた一対のスイッチ回路４２と、前記アンプ回路４０の出力に基づいて前記スイッチ回路４２を切り替えて何れか一方の出力信号を後段に出力する出力切替回路４３を備えてなるアンテナアンプ４であって、前記アンプ回路４０と前記バイパス回路４１の各出力信号の位相を整合させる位相調整回路４５を備え、前記スイッチ回路４２の切替作動時に生じる信号レベルの変動を抑制するように構成されている。【選択図】図１
2007281912.tif 000002
【特許請求の範囲】
【請求項１】
アンテナに近接して設置され、アンテナにより受信された高周波信号を増幅するアンプ回路と、前記高周波信号を前記アンプ回路を通さずにバイパスするバイパス回路と、前記アンプ回路及び前記バイパス回路の後段に夫々設けられた一対のスイッチ回路と、前記アンプ回路の出力に基づいて前記スイッチ回路を排他的に切り替えて何れか一方の出力信号を後段に出力する出力切替回路を備えてなるアンテナアンプであって、
前記アンプ回路の出力信号と前記バイパス回路の出力信号の位相を整合させる位相調整回路を備え、前記出力切替回路により切り替えられる前記スイッチ回路の切替作動時に生じる信号レベルの変動を抑制するように構成されているアンテナアンプ。
【請求項２】
前記位相調整回路は、リアクタンスを調整することにより位相を整合させるリアクタンス素子を備えて構成されている請求項１記載のアンテナアンプ。
【請求項３】
前記スイッチ回路からの出力信号に基づいて前記位相調整回路の位相調整特性を補正する位相補正回路を備えている請求項１または２記載のアンテナアンプ。
【発明の詳細な説明】
【技術分野】
【０００１】
本発明は、アンテナに受信される高周波信号を、アンテナに近接する位置で増幅するアンテナアンプに関する。
【背景技術】
【０００２】
アンテナアンプはアンテナにより受信された微弱な高周波信号を増幅させるもので、アンテナの近傍で高周波信号を増幅させることによってノイズの影響を低く抑えることができる。
【０００３】
一般的なアンテナアンプは、図９に示すように、アンテナにより受信された高周波信号から所定帯域成分のみを通過させるバンドパスフィルタと、前記高周波信号を減衰させる減衰回路と、前記高周波信号を増幅させるアンプと、前記減衰回路における減衰率を制御することによって、前記アンテナアンプ全体の利得を制御する自動利得制御回路を備えて構成されており、前記アンプの出力信号レベルが大きくなると、前記自動利得制御回路が前記減衰回路の減衰率を低下させることで、前記アンテナアンプの利得を低下させていた。その結果、出力信号レベルの増大による歪の発生を防止していたのである。
【０００４】
しかし、上述のようなアンテナアンプにおいて、減衰回路で信号を減衰させても、受信を希望する信号（希望波）の周波数近傍に他の信号（妨害波）が存在する場合、妨害波がアンプで増幅されてしまうことから、出力信号レベルの増大による歪が発生する。また、希望波の周波数近傍に妨害波が存在して、希望波に対する妨害波の割合が大きくなると、希望波と妨害波との間で生じる相互変調による歪が発生する。
【０００５】
上述の歪の発生を防止するために、特許文献１には、アンテナアンプに入力した高周波信号を、アンプを通さずに導くスルー回路とアンプを通して導く回路（アンプ回路）の何れかに切替可能な出力切替回路を含むアンテナアンプが提案されており、前記出力切替回路は、電界変動に起因してアンテナより入力した高周波信号の信号レベルが変化した場合に、信号レベルを所定レベルと比較したときの大小に基づいて回路の切替を行う。
【０００６】
つまり、入力した高周波信号レベルが小さい場合は、アンプを介して信号を導くことで信号増幅による利益を享受しつつも、電界変動によって前記高周波信号レベルが大きくなった場合は、スルー回路を介して信号を導くことでアンプを介して出力信号が大きくなり過ぎることによる歪の発生を防止している。
【０００７】
【特許文献１】特開２００３−１３３９８３号公報
【発明の開示】
【発明が解決しようとする課題】
【０００８】
しかし、上述の先行技術によれば、電界変動に伴って、入力高周波信号をスルー回路からアンプ回路に、またはアンプ回路からスルー回路に切り換える際に、前記高周波信号がスルー回路とアンプ回路の両方を通るタイミングを発生させる場合がある。前記高周波信号がスルー回路とアンプ回路の何れも通らないタイミングが僅かでも存在すると音切れが生じるからである。
【０００９】
しかし、前記高周波信号がスルー回路とアンプ回路の両方を通るタイミングにおいて、スルー回路を通った信号とアンプ回路を通った信号の位相がずれていると、２つの信号の合成波である出力信号の出力レベルが低下することから、出力音声に異常が発生し、聴者に不快な思いをさせるという問題があった。
【００１０】
本発明の目的は、上述した問題点に鑑み、電界変動に伴って発生する出力信号レベルの低下を抑制して、出力音声の異常発生を防止することができるアンテナアンプを提供する点にある。
【課題を解決するための手段】
【００１１】
上述の目的を達成するため、本発明によるアンテナアンプの第一の特徴構成は、特許請求の範囲の書類の請求項１に記載した通り、アンテナに近接して設置され、アンテナにより受信された高周波信号を増幅するアンプ回路と、前記高周波信号を前記アンプ回路を通さずにバイパスするバイパス回路と、前記アンプ回路及び前記バイパス回路の後段に夫々設けられた一対のスイッチ回路と、前記アンプ回路の出力に基づいて前記スイッチ回路を排他的に切り替えて何れか一方の出力信号を後段に出力する出力切替回路を備えてなるアンテナアンプであって、前記アンプ回路の出力信号と前記バイパス回路の出力信号の位相を整合させる位相調整回路を備え、前記出力切替回路により切り替えられる前記スイッチ回路の切替作動時に生じる信号レベルの変動を抑制するように構成されている点にある。
【００１２】
上述の構成によれば、位相調整回路によってアンプ回路の出力信号とバイパス回路の出力信号の位相を同位相に調整することで、両信号の位相のずれに起因して生じていた両信号の出力信号レベルの相殺による信号レベルの低下が解消されるので、出力音声の異常発生を防止することができるのである。
【００１３】
同第二の特徴構成は、同請求項２に記載した通り、上述の第一特徴構成に加えて、リアクタンスを調整することにより位相を整合させるリアクタンス素子を備えて構成されている点にある。
【００１４】
上述の構成によれば、回路の伝送線路に接続する素子の値によって位相を変えることが可能であることから、複雑な回路を必要とすること無く位相の調整ができるのである。
【００１５】
同第三の特徴構成は、同請求項３に記載した通り、上述の第一または第二特徴構成に加えて、前記スイッチ回路からの出力信号に基づいて前記位相調整回路の位相調整特性を補正する位相補正回路を備えている点にある。
【００１６】
上述の構成によれば、位相にずれが生じた場合の出力信号の信号レベルと位相にずれが生じていない場合の出力信号の信号レベルとの差分によって、位相のずれが何度であるか明らかとなるので適正に位相を調整することができる。また、出力信号に表れた位相のずれを、位相調整回路にフィードバックして補正することで、早期の補正が可能となるのである。
【発明の効果】
【００１７】
以上説明した通り、本発明によれば、電界変動に伴って発生する出力信号レベルの低下を抑制して、出力音声の異常発生を防止することができるアンテナアンプを提供することができるようになった。
【発明を実施するための最良の形態】
【００１８】
以下、本発明によるアンテナアンプを、車両の後部ガラスに搭載されたアンテナに適用した実施形態について説明する。
【００１９】
アンテナが車両に搭載される形態としては、図２に示すように、車両１において、アンテナ２を構成する線状のアンテナエレメント２０がフィルム３の上に導体パターンとして形成され、前記フィルム３が前記車両１の後部ガラス５に貼り付けられて構成されている。また、前記アンテナ２の近傍である前記車両の屋根内部にアンテナアンプ４が搭載されて構成されている。
【００２０】
前記アンテナアンプ４は、図１に示すように、前記アンテナ２に近接して設置され、前記アンテナ２により受信された高周波信号から所定帯域成分のみを通過させるバンドパスフィルタ４７と、前記高周波信号を増幅するアンプ回路４０と、前記高周波信号を前記アンプ回路４０を通さずにバイパスするバイパス回路４１と、前記アンプ回路４０及び前記バイパス回路４１の後段に夫々設けられた一対のスイッチ回路４２とを備えている。
【００２１】
さらに、前記アンプ回路４０の出力に基づいて前記スイッチ回路４２を排他的に切り替えて何れか一方の出力信号を後段に出力する出力切替回路４３と、前記アンプ回路４０の内部に備えられている後述するアンプへの入力を切り替える入力切替回路４４と、前記バイパス回路４１に備えられており前記バイパス回路４１の出力信号を前記アンプ回路４０の出力信号の位相と整合させる位相調整回路４５と、前記スイッチ回路４２からの出力信号に基づいて前記位相調整回路４５の位相調整特性を補正する位相補正回路４６を備えて構成されている。
【００２２】
前記アンプ回路４０は、前記アンテナ２に近接して設置され、前記アンテナ２により受信された高周波信号を増幅するように構成されており、減衰回路４００、入力スイッチ回路４０１、アンプ４０２、そして出力レベル検出部４０３を備えて構成されている。
【００２３】
前記減衰回路４００は、前記アンテナ２により受信された高周波信号を減衰させる回路で、例えば、２個の抵抗Ｒ１とＲ２を備えて構成され、前記抵抗Ｒ１とＲ２の分圧によって前記高周波信号を減衰させる。
【００２４】
前記入力スイッチ回路４０１は、前記アンテナ２により受信された高周波信号と後述するアンプ４０２の間に設けられており、接点４０１Ａが選択されている場合は、前記高周波信号は前記減衰回路４００を介することなく前記アンプ４０２へと導かれるが、接点４０１Ｂが選択されている場合は、前記高周波信号は前記減衰回路４００を介して前記アンプ４０２へと導かれる。
【００２５】
前記アンプ４０２は、前記高周波信号を増幅させるように構成されている。
【００２６】
前記出力レベル検出部４０３は、前記アンプ４０２から出力された高周波信号の出力レベルを検出するように構成されている。
【００２７】
また、前記出力レベル検出部４０３は、前記出力レベルを所定値と比較して、所定値以上であれば、前記高周波信号が前記バイパス回路４１を介して前記位相補正回路４６へ至るように構成されており、所定値より小さければ、前記高周波信号が前記アンプ回路４０を介して前記位相補正回路４６へ至るように前記出力切替回路４３を切り替えさせるように構成されている。
【００２８】
さらに、前記出力レベル検出部４０３は、前記出力レベルを所定値と比較して、所定値以上であれば、前記バンドパスフィルタ４０からの高周波信号が前記減衰回路４００を介して前記アンプ４０２へ至るように、また、所定値より小さければ、前記バンドパスフィルタ４０からの高周波信号が前記スイッチ回路４０１を介して前記アンプ４０２へ至るように前記入力切替回路４４を切り替えさせるように構成されている。
【００２９】
尚、前記出力レベル検出部４０３は、前記所定値を可変に設定するように構成されていてもよく、例えば、前記所定値を可変に設定するための可変抵抗や可変コンデンサを備えた構成が挙げられる。
【００３０】
前記バイパス回路４１は、前記バンドパスフィルタ４０からの高周波信号を、前記アンプ回路４０を通さずにバイパスするように構成されており、上述のように前記位相調整回路４５を備えて構成されている。尚、前記位相調整回路４５については後述する。
【００３１】
前記スイッチ回路４２は、前記アンプ回路４０を通って増幅された高周波信号か、あるいは前記アンプ回路４０を通らずに前記バイパス回路４１を通った高周波信号の何れかの信号を選択するように構成されており、後述する出力切替回路４３によって切り替えられる。
【００３２】
また、前記スイッチ回路４２は、前記アンプ回路４０を通って増幅された高周波信号と、前記アンプ回路４０を通らずに前記バイパス回路を通った高周波信号の両信号が共に出力されない状態となることを防止するために、選択する信号を切り替える際、両方の信号を選択するタイミングが存在するように構成されている。
【００３３】
前記出力切替回路４３は、前記アンプ回路４０の出力に基づいて前記スイッチ回路４２を排他的に切り替えて何れか一方の出力信号を後段に出力するように構成されている。また、前記入力切替回路４４は、前記アンプ回路４０の出力に基づいて前記アンプ４０２への入力を排他的に切り替えるように構成されている。
【００３４】
詳述すると、前記スイッチ回路４２と前記入力スイッチ回路４０１は、ＰＩＮダイオードを用いて切替動作を行っており、前記出力切替回路４３と前記入力切替回路４４は、前記ＰＩＮダイオードのバイアスを制御することで、前記スイッチ回路４２と前記入力スイッチ回路４０１の切替動作を制御している。
【００３５】
例えば、図３に示すように、前記スイッチ回路４２は、前記アンプ回路４０の後段に配置されているＰＩＮダイオードＤ１と、前記バイパス回路４１の後段に配置されているＰＩＮダイオードＤ２を備えて構成されており、前記入力スイッチ回路４０１は、前記減衰回路４００と並列に接続されたＰＩＮダイオードＤ３を備えて構成されている。
【００３６】
また、前記ＰＩＮダイオードＤ１は、カソードを前記位相補正回路４６の側に、アノードを前記アンプ回路４０の側にして配置されており、前記ＰＩＮダイオードＤ２は、カソードを前記位相補正回路４６の側に、アノードを前記バイパス回路４１の側にして配置されており、前記ＰＩＮダイオードＤ３は、カソードを前記バンドパスフィルタ４０の側に、アノードを前記アンプ４０２の側にして配置されている。
【００３７】
さらに、前記出力切替回路４３は、前記出力レベル検出部４０３からの信号を前記バイパス回路４１と前記ＰＩＮダイオードＤ２の間へ出力するバッファ４３０と、前記出力レベル検出部４０３からの信号を前記アンプ回路４０と前記ＰＩＮダイオードＤ１の間へ出力するインバータ４３１を備えて構成されており、前記入力切替回路４４は、前記出力レベル検出部４０３からの信号を前記アンプ４０２と前記ＰＩＮダイオードＤ３の間へ出力するインバータ４４０を備えて構成されている。
【００３８】
尚、前記出力切替回路４３と入力切替回路４４を正常に動作させるために、前記アンプ回路４０において、前記高周波信号が前記アンプ回路４０と前記バイパス回路４１の何れを介して前記位相補正回路４６へ至っていようとも、前記出力レベル検出部４０３は、前記出力高周波信号の信号レベルを検出する必要がある。
【００３９】
よって、前記アンテナアンプ４は、前記スイッチ回路４２によって前記アンプ回路４０と前記位相補正回路４６との間が遮断されている場合も、前記アンプ回路４０における前記出力レベル検出部４０３へ至る経路には前記出力高周波信号が通るように構成されている。
【００４０】
前記出力切替回路４３の動作としては、例えば、前記出力レベル検出部４０３において、前記アンプ４０２から出力された高周波信号の出力レベルが所定値Ｖｏｕｔ以上であれば、前記出力レベル検出部４０３は前記出力切替回路４３に直流電圧（例えば１０Ｖ）をかけて、所定値Ｖｏｕｔより小さければ、前記直流電圧と極性が逆の直流電圧をかける。
【００４１】
その結果、前記アンプ４０２から出力された高周波信号の出力レベルが所定値Ｖｏｕｔ以上であり、前記出力切替回路４３に正の電圧がかけられた場合には、前記バッファ４３０を介した正の電圧による順方向バイアスが前記ＰＩＮダイオードＤ２にかかることで前記ＰＩＮダイオードＤ２のインピーダンスが低くなり、前記インバータ４３１を介した負の電圧による逆方向バイアスが前記ＰＩＮダイオードＤ１にかかることで前記ＰＩＮダイオードＤ１のインピーダンスが高くなるので、前記高周波信号は前記バイパス回路４１を介して前記位相補正回路４６へ至るのである。
【００４２】
一方、前記出力レベル検出部４０３において、前記アンプ４０２から出力された高周波信号の出力レベルが所定値Ｖｏｕｔより小さければ、前記ＰＩＮダイオードＤ１とＤ２には上述とは逆のバイアスがかかり、前記高周波信号は前記アンプ回路４０を介して前記位相補正回路４６へ至るのである。
【００４３】
前記入力切替回路４４の動作としては、例えば、前記出力レベル検出部４０３において、前記アンプ４０２から出力された高周波信号の出力レベルが所定値Ｖｉｎ以上であれば、前記出力レベル検出部４０３は前記入力切替回路４４に直流電圧（例えば１０Ｖ）をかけて、所定値より小さければ、前記直流電圧と極性が逆の直流電圧をかける。
【００４４】
その結果、前記アンプ４０２から出力された高周波信号の出力レベルが所定値Ｖｉｎ以上であり、前記入力切替回路４４に正の電圧がかけられた場合には、前記インバータ４４０を介した負の電圧による逆方向バイアスが前記ＰＩＮダイオードＤ３にかかることでインピーダンスが高くなり、前記入力スイッチ回路４０１は遮断され、前記バンドパスフィルタ４０からの高周波信号は前記減衰回路４００を介して前記アンプ回路４０２へ至るのである。
【００４５】
一方、前記出力レベル検出部４０３において、前記アンプ４０２から出力された高周波信号の出力レベルが所定値Ｖｉｎより小さければ、前記ＰＩＮダイオードＤ３には上述とは逆のバイアスがかかり、前記高周波信号は前記入力スイッチ回路４０１を介して前記アンプ回路４０２へ至るのである。
【００４６】
図４に示すように、前記アンプ回路４０へ入力させる図３における地点ｃの高周波信号（入力高周波信号）の信号レベルを増加させていった場合の、前記アンプ回路４０から出力された図３における地点ｄの高周波信号（出力高周波信号）の信号レベルは、前記所定値ＶｉｎとＶｏｕｔにおいて低下する。
【００４７】
詳述すると、前記出力高周波信号が前記所定値Ｖｉｎより小さい場合は、前記ＰＩＮダイオードＤ３に順方向バイアスがかかることから、前記入力高周波信号は前記入力スイッチ回路４０１を通るが、前記所定値Ｖｉｎに達した場合は、前記ＰＩＮダイオードＤ３に逆方向バイアスがかかることから、前記入力高周波信号は前記入力スイッチ回路４０１ではなく前記減衰回路４００を通ることとなり、前記減衰回路４００によって信号が減衰される結果、図４におけるａ点に示すように、前記入力高周波信号の信号レベルに対する前記出力高周波信号の信号レベルが低下する。
【００４８】
尚、ａ点においては、前記出力高周波信号の信号レベルが前記所定値Ｖｏｕｔより小さいことから、前記ＰＩＮダイオードＤ１には順方向バイアス、前記ＰＩＮダイオードＤ２には逆方向バイアスがかかっており、前記入力高周波信号は前記アンプ回路４０を通っている。
【００４９】
さらに、前記入力高周波信号の信号レベルを増加させて、前記出力高周波信号が前記所定値Ｖｏｕｔに達した場合は、前記ＰＩＮダイオードＤ１に逆方向バイアスがかかり、前記ＰＩＮダイオードＤ２に順方向バイアスがかかることから、前記入力高周波信号は前記アンプ回路４０ではなく前記バイパス回路４１を通ることとなり、図４におけるｂ点に示すように、前記入力高周波信号の信号レベルに対する前記出力高周波信号の信号レベルが低下する。
【００５０】
前記位相調整回路４５は、前記バイパス回路４１に含まれており前記アンプ回路４０の出力信号と前記バイパス回路４１の出力信号の位相を整合させるように構成されている。尚、このような位相の整合が必要となる理由は、前記スイッチ回路４２は、前記アンプ回路４０を通って増幅された高周波信号と、前記アンプ回路４０を通らずに前記バイパス回路を通った高周波信号を切り替える際に、両方の信号を選択しているタイミング、つまり前記ダイオードＤ１とＤ２の両方に順方向バイアスがかかっているタイミングが存在するように構成されており、前記タイミングにおける両信号の位相のずれによる出力信号レベルの低下を防止するためである。
【００５１】
前記位相調整回路４５について詳述すると、前記位相調整回路４５は、図３に示すように、固定値の抵抗と、リアクタンスを調整することにより位相を整合させるリアクタンス素子を備えて構成されており、前記リアクタンス素子は、例えば、値を可変することができる容量性リアクタンス素子４５０で構成されている。前記位相調整回路４５は、前記容量性リアクタンス素子４５０の値を変化させることで、前記バイパス回路４１を通る信号の位相を前記アンプ回路４０を通る信号の位相と一致させるように構成されている。
【００５２】
前記位相補正回路４６は、前記スイッチ回路４２からの出力信号に基づいて前記位相調整回路４５の位相調整特性を補正するように構成されている。以下、前記位相補正回路４６の動作について、図５に示すような、信号が前記バイパス回路４１を通る状態から前記アンプ回路４０を通る状態へと遷移する場合における、前記ＰＩＮダイオードＤ１とＤ２のバイアスの状態に対応する図３における地点ｄの高周波信号（出力高周波信号）の信号レベルを示したグラフに基づいて説明する。
【００５３】
詳述すると、高周波信号が前記バイパス回路４１を通っており前記ＰＩＮダイオードＤ２に順方向バイアスがかかっている状態（図５におけるオフ状態）から、高周波信号が前記アンプ回路４０を通っており前記ＰＩＮダイオードＤ１に順方向バイアスがかかっている状態（図５におけるオン状態）に切り替わる際、前記スイッチ回路４２の切り替え時における両方の高周波信号を選択している状態、つまり前記ＰＩＮダイオードＤ１とＤ２の両方に順方向バイアスがかかっている状態（図５における中間状態）が存在している。
【００５４】
前記中間状態において、前記アンプ回路４０を介した高周波信号と前記バイパス回路４１を介した高周波信号との間で位相のずれが生じていると、図５に示すように、２つの高周波信号の合成波の信号レベルが低下する。前記位相補正回路４６は、この信号レベルの低下値ＡまたはＢの大きさに基づいて、２つの高周波信号の位相のずれの大きさを算出する。その上で、前記位相補正回路４６は、前記位相調整回路４５の前記容量性リアクタンス４５０の値を、前記位相のずれを零にするような値に可変させる。
【００５５】
以上より、前記アンテナアンプ４は、前記出力切替回路４３により切り替えられる前記スイッチ回路４２の切替作動時に生じる信号レベルの変動を抑制するように構成されているのである。
【００５６】
以下、別実施形態について説明する。上述の実施形態では、位相調整回路４５はバイパス回路４１に含まれる構成について説明したが、前記位相調整回路４５はアンプ回路４０に含まれる構成であってもよい。例えば、図６に示すように、前記位相調整回路４５をアンプ４０２の後段に挿入する構成が挙げられる。
【００５７】
上述の実施形態では、位相調整回路４５において、容量性リアクタンス４５０を可変させることによって位相を調整する構成について説明したが、前記容量性リアクタンス４５０以外の素子等を用いて位相を調整する構成であってもよい。例えば、前記容量性リアクタンス４５０の代わりに誘導性リアクタンスを可変させて位相を調整する構成や、伝送線路の長さを変化させることによって位相を調整する構成が挙げられる。
【００５８】
上述の実施形態では、可変式のリアクタンス素子によって位相を調整する構成について説明したが、前記リアクタンス素子を可変させる方法として、値の異なる複数のリアクタンス素子を並列に接続してスイッチで切り替える方式であってもよい。例えば、図７に示すように、容量の異なる複数の容量性リアクタンス素子Ｃ１からＣｎを並列に接続して、容量切替スイッチ４５１で切り替える構成が挙げられる。
【００５９】
上述の実施形態では、出力切替回路４３や入力切替回路４４が、アンプ回路４０の出力に基づいてスイッチ回路４２や入力スイッチ回路４０１を排他的に切り替える構成について説明したが、出力切替回路４３や入力切替回路４４が、アンプ回路４０の入力に基づいてスイッチ回路４２や入力スイッチ回路４０１を排他的に切り替える構成であってもよい。
【００６０】
詳述すると、本実施形態では、アンテナアンプ４は、アンプ４０２からの出力信号を入力とする出力レベル検出部４０３の代わりに、前記アンプ４０２への入力信号を入力とする入力レベル検出部を備えて構成されており、前記入力レベル検出部は、前記アンプ４０２への入力レベルを所定値と比較することによって、スイッチ回路４２や入力スイッチ回路４０１の切り替えを行う。
【００６１】
上述の実施形態では、位相補正回路４６は、２つの高周波信号の合成波の信号レベルの低下値に基づいて、２つの高周波信号の位相のずれの大きさを算出する構成について説明したが、位相のずれを算出する方法として、２つの信号の位相を各々測定して差を求める構成であってもよい。
【００６２】
詳述すると、図８に示すように、２つの高周波信号が合流する前段に位相測定回路４８Ａと４８Ｂを備えて構成されており、前記位相測定回路４８Ａにおいてアンプ回路４０を通ってきた高周波回路を測定し、前記位相測定回路４８Ｂにおいてバイパス回路４１を通ってきた高周波信号を測定し、位相調整回路４５において測定した２つの高周波信号を比較することで、２つの高周波信号の位相のずれの大きさを算出するのである。
【００６３】
尚、上述した実施形態は、本発明の一例に過ぎず、本発明の作用効果を奏する範囲において各ブロックの具体的構成等を適宜変更設計できることは言うまでもない。
【図面の簡単な説明】
【００６４】
【図１】アンテナアンプの機能ブロック構成図
【図２】アンテナアンプを車両に搭載した場合の説明図
【図３】位相調整回路に容量性リアクタンスを用いて、スイッチ回路にＰＩＮダイオードを用いたアンテナアンプの機能ブロック構成図
【図４】アンテナアンプの入力信号に対する出力信号を示したグラフの説明図
【図５】ＰＩＮダイオードのバイアス状態に対応する出力信号を示したグラフの説明図
【図６】位相調整回路をアンプ回路内に備えたアンテナアンプの機能ブロック構成図
【図７】複数のリアクタンス素子を切り替えることで位相を調整するアンテナアンプの機能ブロック構成図
【図８】位相測定回路を備えたアンテナアンプの機能ブロック構成図
【図９】従来のアンテナアンプの機能ブロック構成図
【符号の説明】
【００６５】
２：アンテナ
４：アンテナアンプ
４０：アンプ回路
４００：減衰回路
４０１：入力スイッチ回路
４０２：アンプ
４０３：出力レベル検出部
４１：バイパス回路
４２：スイッチ回路
４３：出力切替回路
４４：入力切替回路
４５：位相調整回路
４５０：容量性リアクタンス素子
４６：位相補正回路
【図１】
2007281912.tif 000003
【図２】
2007281912.tif 000004
【図３】
2007281912.tif 000005
【図４】
2007281912.tif 000006
【図５】
2007281912.tif 000007
【図６】
2007281912.tif 000008
【図７】
2007281912.tif 000009
【図８】
2007281912.tif 000010
【図９】
2007281912.tif 000011